(57)【要約】【課題】携帯電話のバッテリを消費することなく暗い場所でのストロボ（フラッシュ）撮影を可能にしたカメラ付き携帯電話用ストロボ装置を得る。【解決手段】カメラ付き携帯電話１に外付けするストロボ装置２において、制御プログラム１２を格納するメモリを有するマイクロコンピュータ１０と、カメラ付き携帯電話１の外部接続端子に接続するコネクタ７Ａを有し、マイクロコンピュータ１０に接続した接続ケーブル８と、トリガボタン１１と、ストロボ発光手段１３，１４，１６と、バッテリ手段１５とを具え、制御プログラム１２には、トリガボタン１１を押したとき、シャッター用の携帯電話の確定ボタン３を押したときと同一の制御コード信号１７を携帯電話の制御部１Ａに伝送する確定ボタンコマンド発生モジュール１８を組み込み、携帯電話内蔵カメラ４のシャッターに外付けストロボ装置２のストロボ発光を同期させる。【選択図】図１
2005221595.tif 000002
【特許請求の範囲】
【請求項１】
確定ボタンでシャッターを切るカメラ付きの携帯電話に外付けするストロボ装置において、
ストロボ装置を制御する制御プログラムを格納するメモリを有するマイクロコンピュータと、
前記カメラ付き携帯電話の外部接続端子に接続するコネクタを有し、前記マイクロコンピュータの入出力インターフェイスに接続した接続ケーブルと、
前記マイクロコンピュータの入力部に接続したトリガボタンと、
前記マイクロコンピュータの出力部に接続し、前記トリガボタンに連動して前記マイクロコンピュータの制御プログラムに従って閃光するストロボ発光手段と、
ストロボ装置の各部分に給電するバッテリ手段と
を具え、
前記制御プログラムには、ストロボ装置の前記トリガボタンを押したとき、前記接続ケーブルを介して携帯電話の確定ボタンを押したときと同一の制御コードを携帯電話の制御部に伝送する確定ボタンコマンド発生モジュールを組み込み、携帯電話内蔵カメラのシャッターに外付けストロボ装置のストロボ発光を同期させる
ことを特徴とするカメラ付き携帯電話用ストロボ装置。
【請求項２】
前記制御プログラムは、ストロボ装置の接続ケーブルを携帯電話に接続したとき、携帯電話の制御部から携帯電話のメーカー及びモデルの機種コードを読み取るものとし、確定ボタンコマンド発生モジュールには、機種毎に異なる同期タイミングに関するテーブルを参照し、機種に適合する同期タイミングで確定ボタンと同一の制御コードを携帯電話の制御部に伝送するタイミング補正サブモジュールを組み込んだ請求項１記載のカメラ付き携帯電話用ストロボ装置。
【請求項３】
前記トリガボタンのトリガ動作に対する同期タイミング補正をユーザーが手動で微調整する微調整設定手段を設け、確定ボタンコマンド発生モジュールには、主にストロボ装置の製造後にリリースされた新機種に対処するための手動タイミング補正を優先させ、微調整設定通りの同期タイミングで確定ボタンと同一の制御コードを携帯電話の制御部に伝送する手動タイミング補正サブモジュールを組み込んだ請求項１又は２記載のカメラ付き携帯電話用ストロボ装置。
【請求項４】
更に、ストロボ発光モードと携帯電話充電モードとの間を切り替えるモード切替えスイッチと、携帯電話充電モードにスイッチを切り替えたとき、ストロボ装置のバッテリ手段から携帯電話のバッテリを充電する充電回路とを設けた請求項１乃至３のうちのいずれか一項に記載のカメラ付き携帯電話用ストロボ装置。
【請求項５】
更に、外光センサを設け、前記制御プログラムは、前記外光センサからの外光の強さを表す外光光度信号に応じて、外光光度にほぼ反比例するストロボ光量を発生する発光制御信号をストロボ発光手段に供給する構成とした請求項１乃至４のうちのいずれか一項に記載のカメラ付き携帯電話用ストロボ装置。
【発明の詳細な説明】
【技術分野】
【０００１】
本発明は、確定（選択）ボタンでシャッターを切るカメラ付きの携帯電話に外付けするストロボ装置に関するものである。
【背景技術】
【０００２】
従来のカメラ付きの携帯電話では、携帯電話をカメラモードにし、暗い場所での撮影には、携帯電話における機能ボタンを押すことにより携帯電話に内蔵した発光ダイオードによるライトを点灯し、一定時間被写体を照らしたままの状態で、携帯電話の確定（選択）ボタンでシャッターを切るしかなかった。
【発明の開示】
【発明が解決しようとする課題】
【０００３】
しかし、携帯電話に内蔵したライトは、せいぜい２０〜３０ｃｍ程度の至近距離しか照らすことができず、それ以上離れた距離にある被写体は写すことはできなかった。携帯電話に内蔵されるカメラが約３０万画素程度の簡易的なものであれば、暗い場所での撮影が至近距離に限定されてもかまわないと割り切って使用することができる。
【０００４】
ただ、１００万画素以上のカメラが携帯電話に内蔵され、携帯電話とカメラが同格となり、携帯電話付きデジタルカメラとでも言えるようになると、発光ダイオードによるライト点灯では満足できないものとなるであろう。しかし、ストロボ（フラッシュ）を内蔵することは、一回の発光で極めて多量の電力を消費するため、携帯電話のバッテリ残量が激減し、直ぐに携帯電話としての用をなさなくなる。
【０００５】
従って、本発明の目的は、従来は存在しなかったカメラ付き携帯電話用ストロボ装置であって、携帯電話のバッテリを消費することなく暗い場所でのストロボ（フラッシュ）撮影を可能にしたカメラ付き携帯電話用ストロボ装置を得るにある。
【課題を解決するための手段】
【０００６】
この目的を達成するため、本発明カメラ付き携帯電話用ストロボ装置は、
ストロボ装置を制御する制御プログラムを格納するメモリを有するマイクロコンピュータと、
前記カメラ付き携帯電話の外部接続端子に接続するコネクタを有し、前記マイクロコンピュータの入出力インターフェイスに接続した接続ケーブルと、
前記マイクロコンピュータの入力部に接続したトリガボタンと、
前記マイクロコンピュータの出力部に接続し、前記トリガボタンに連動して前記マイクロコンピュータの制御プログラムに従って閃光するストロボ発光手段と、
ストロボ装置の各部分に給電するバッテリ手段と
を具え、
前記制御プログラムには、ストロボ装置のトリガボタンを押したとき、前記接続ケーブルを介して携帯電話の確定ボタンを押したときと同一の制御コードを携帯電話の制御部に伝送する確定ボタンコマンド発生モジュールを組み込み、携帯電話内蔵カメラのシャッターに外付けストロボ装置のストロボ発光を同期させる
ことを特徴とする。
【発明の効果】
【０００７】
本発明によれば、ストロボ装置のトリガボタンを押すことによって、携帯電話の確定ボタンを押したときと同一の制御コードを携帯電話の制御部に伝送するため、携帯電話のバッテリを消費することなく、内蔵カメラのシャッターに同期させて大光量のストロボ（フラッシュ）を発生させることができる。
【発明を実施するための最良の形態】
【０００８】
本発明の好適な実施例においては、前記制御プログラムは、ストロボ装置の接続ケーブルを携帯電話に接続したとき、携帯電話の制御部から携帯電話のメーカー及びモデルの機種コードを読み取るものとし、確定ボタンコマンド発生モジュールには、機種毎に異なる同期タイミングに関するテーブルを参照し、機種に適合する同期タイミングで確定ボタンと同一の制御コードを携帯電話の制御部に伝送するタイミング補正サブモジュールを組み込むものとする。
【０００９】
また、本発明の好適な実施例においては、前記トリガボタンのトリガ動作に対する同期タイミング補正をユーザーが手動で微調整する微調整設定手段を設け、確定ボタンコマンド発生モジュールには、主にストロボ装置の製造後にリリースされた新機種に対処するための手動タイミング補正を優先させ、微調整設定通りの同期タイミングで確定ボタンと同一の制御コードを携帯電話の制御部に伝送する手動タイミング補正サブモジュールを組み込む。
【００１０】
更に、本発明の好適な実施例においては、ストロボ発光モードと携帯電話充電モードとの間を切り替えるモード切替えスイッチと、携帯電話充電モードにスイッチを切り替えたとき、ストロボ装置のバッテリ手段から携帯電話のバッテリを充電する充電回路とを設ける。
【００１１】
更に、本発明の好適な実施例においては、外光センサを設け、前記制御プログラムは、前記外光センサからの外光の強さを表す外光光度信号に応じて、外光光度にほぼ反比例するストロボ光量を発生する発光制御信号をストロボ発光手段に供給する構成とする。
【００１２】
次に、図面につき本発明の好適な実施例を説明する。
【実施例】
【００１３】
図１は、カメラ付きの携帯電話１と、このカメラ付きの携帯電話１に外付けする本発明によるストロボ装置２とを示す。このカメラ付きの携帯電話１は、確定（選択）ボタン３でシャッターを切る内側カメラ４（外側カメラ４Ａは図示せず）及び内側ライト５（外側ライト５Ａは図示せず）を内蔵する。
【００１４】
また、本発明によるストロボ装置２には、カメラ付き携帯電話１の外部接続端子６（点線で示す）に接続する第１コネクタ７Ａを有する接続ケーブル８を設ける。この接続ケーブル８は、図示のようにストロボ装置２に対して外部接続端子９によって着脱自在にするか、又は固定式にするかのいずれかとすることができる。
【００１５】
本発明によるストロボ装置２は、図２に示すように、ストロボ装置を制御する制御プログラムを格納するメモリ（図示せず）を有するマイクロコンピュータ１０を内蔵する。図示の実施例では、このマイクロコンピュータ１０の入出力インターフェイスはストロボ装置２の外部接続端子９を介して接続ケーブル８の第２コネクタ７Ｂに接続する。
【００１６】
マイクロコンピュータ１０の入力部にトリガボタン１１を接続し、マイクロコンピュータの出力部には、トリガボタン１１に連動してマイクロコンピュータ１０の制御プログラム１２に従ってストロボバルブ１３を閃光させるストロボ発生回路１４を接続する。
【００１７】
ストロボ装置２にはストロボ装置の各部分に給電するバッテリ手段１５を設け、バッテリ手段１５はストロボ充電回路１６を介してストロボ発生回路１４及びマイクロコンピュータ１０に給電する。ストロボバルブ１３、ストロボ発生回路１４、及びストロボ充電回路１６はストロボ発光手段をなす。
【００１８】
制御プログラム１２には、ストロボ装置２のトリガボタン１１を押したとき、接続ケーブル８を介して携帯電話１の確定（選択）ボタン３を押したときと同一の制御コード信号１７を携帯電話１の制御部１Ａに伝送する確定ボタンコマンド発生モジュール１８を組み込み、携帯電話内蔵カメラ４又は４Ａのシャッター操作即ち、カメラモードでの確定（選択）ボタン３の押し込みに外付けストロボ装置２のストロボ発光を同期させる。
【００１９】
更に、制御プログラム１２は、ストロボ装置２の接続ケーブル８をカメラ付き携帯電話１に接続したとき、携帯電話１の制御部１Ａから携帯電話のメーカー及びモデルの機種コードを読み取るものとする。確定ボタンコマンド発生モジュール１８には、機種毎に異なる同期タイミングに関する機種‐同期タイミングテーブル１９を参照し、機種に適合する同期タイミングで確定ボタン押しと同一の制御コード信号１７を携帯電話１の制御部１Ａに伝送するタイミング補正サブモジュール２０を組み込む。
【００２０】
トリガボタン１１のトリガ動作に対する同期タイミング補正をユーザーが手動で微調整する微調整設定手段例えば、調整ダイヤル２１を設け、確定ボタンコマンド発生モジュール１８には、主にストロボ装置の製造後にリリースされた新機種に対処するための手動タイミング補正を優先させ、微調整設定通りの同期タイミングで確定（選択）ボタン３を押したときと同一の制御コード信号１７を携帯電話１の制御部１Ａに伝送する手動タイミング補正サブモジュール２２を組み込む。
【００２１】
更に、図示の実施例のストロボ装置２には、ストロボ発光モードと携帯電話充電モードとの間を切り替えるモード切替えスイッチ２３と、携帯電話充電モードにモード切替えスイッチ２３を切り替えたとき、ストロボ装置のバッテリ手段１５から携帯電話１のバッテリ１Ｂを充電する充放電回路２４とを設ける。
【００２２】
ストロボ装置のバッテリ手段１５は再充電可能バッテリを有するものとして構成し、例えば、接続ケーブル８を接続するコネクタ９に電源接続ケーブル（図示せず）を差し替えることによって充放電回路２４を介してバッテリ手段１５の再充電可能バッテリを充電することができるようにすると好適である。
【００２３】
更にまた、図示の実施例のストロボ装置２には、外光センサ２５を設ける。外光センサ２５を設ける図示の実施例では、制御プログラム１２は、外光センサ２５からの外光の強さを表す外光光度信号に応じて、外光光度にほぼ反比例するストロボ光量を発生する発光制御信号をストロボ発生回路１４（ストロボ発光手段）に供給するよう構成する。即ち、暗ければくらいほど、明るい光量でストロボ発光するようにする。
【００２４】
更に、外光が所定光度以上のとき、ストロボ発生回路１４（ストロボ発光手段）にストロボ発光禁止信号を供給してストロボ発光機能をオフにするよう構成してもよい。このとき、図示しないが、強制発光スイッチを設け、制御プログラム１２は、強制発光スイッチをオンにしたとき、外光が所定光度以上であっても強制発光させるよう構成すると一層好適である。
【産業上の利用可能性】
【００２５】
本発明ストロボ装置はカメラ付き携帯電話に使用し、特に、デジタルカメラ単体に匹敵する高精細カメラを内蔵する携帯電話の周辺機器として使用することができ、携帯電話のバッテリ消費を気にすることなく、大光量を瞬間的に発生するが大きな電力を必要とするストロボ発光させて暗い場所でのカメラ撮影を行う。
【図面の簡単な説明】
【００２６】
【図１】本発明ストロボ装置とカメラ付き携帯電話を示す線図的説明図である。
【図２】本発明ストロボ装置の好適な実施例のブロック図である。
【図３】本発明ストロボ装置に内蔵のマイクロコンピュータにおけるメモリに記憶する制御プログラムの構成を示す説明図である。
【符号の説明】
【００２７】
１  カメラ付きの携帯電話
１Ａ  カメラ付きの携帯電話の制御部
１Ｂ  カメラ付きの携帯電話のバッテリ
２  ストロボ装置
３  確定（選択）ボタン
４  内側カメラ
５  内側ライト５
６  カメラ付き携帯電話１の外部接続端子
７Ａ  第１コネクタ
７Ｂ  第２コネクタ
８  接続ケーブル
９  外部接続端子
１０  マイクロコンピュータ
１１  トリガボタン
１２  制御プログラム
１３  ストロボバルブ
１４  ストロボ発生回路
１５  バッテリ手段
１６  ストロボ充電回路
１７  確定（選択）ボタン押し制御コード信号
１８  確定ボタンコマンド発生モジュール
１９  機種‐同期タイミングテーブル
２０  タイミング補正サブモジュール
２１  微調整設定手段（調整ダイヤル）
２２  手動タイミング補正サブモジュール
２３  モード切替えスイッチ
２４  充放電回路
２５  外光センサ
【図１】
2005221595.tif 000003
【図２】
2005221595.tif 000004
【図３】
2005221595.tif 000005